(57)【要約】【課題】ダイアフラムポンプの機構利用して薄型で軽量な鏡を提供する。【解決手段】板状の鏡ベースであって、片面にフィルム鏡を装着するための面とフィルム鏡が鏡ベースに接触しないように設けられたにフィルム鏡に覆われる窪みを有し、フィルム押さえリングでフィルム鏡を固着して鏡面を形成し、反対面には、反対面を覆うプラスチックシートが接着され反対面とプラスチックシートで挟まれた空間がポンプ室となるようなダイヤフラムポンプを形成し、この反対面に一方の開口部を持つ逆止弁２個を内蔵させ、プラスチックシートへの鏡ベース側に向かう方向の外力の付加及び解放によるポンプ動作で発生した圧力でフィルム鏡を凹ませて凹面鏡にするもので、２個の逆止弁のうちの１個のもう片方の口に外気を任意に連通もしくは遮断することができる鏡ベース内に設けられた大気圧連通弁に繋がり、もう１個の逆止弁の口は直接外気に繋がっている。【選択図】  図１
2017000220.tif 000002
【特許請求の範囲】
【請求項１】
板状の鏡ベースであって、片面にフィルム鏡を装着するための面とフィルム鏡が鏡ベースに接触しないように設けられたにフィルム鏡に覆われる窪みを有し、フィルム押さえリングでフィルム鏡を固着して鏡面を形成し、反対面には、反対面を覆うプラスチックシートが接着され反対面とプラスチックシートで挟まれた空間がポンプ室となるようなダイヤフラムポンプを形成し、この反対面に一方の開口部を持つ逆止弁２個を内蔵させ、プラスチックシートへの鏡ベース側に向かう方向の外力の付加及び解放によるポンプ動作で発生した圧力でフィルム鏡を凹ませて凹面鏡にするもので、２個の逆止弁のうちの１個のもう片方の口に外気を任意に連通もしくは遮断することができる鏡ベース内に設けられた大気圧連通弁に繋がり、もう１個の逆止弁の口は直接外気に繋がっていることを特徴とするポンプ付き鏡。
【請求項２】
鏡ベース表面より突出し、押す、横移動もしくは傾くあるいは回転、するの二つの自由度を得るための機構をもった指で操作するためのボタンであり、押すことで弁が開き、もう一つの自由度を使いこれを保持することのできる大気圧連通弁を備えることを特徴とする請求項１記載のポンプ付き鏡。
【請求項３】
フィルム鏡とこれを保護するための鏡に囲まれた空間に、ダイアフラムのポンプ室に繋がる通路をもち、通路の途中にダイアフラムポンプ室からの空気が流入するような向きに逆止弁が設置されているとともに上記空間は大気圧連通弁にも繋がっていることを特徴とする請求項１記載のポンプ付き鏡。
【請求項４】
フィルム鏡と鏡ベースに囲まれた窪み空間に、ダイアフラムポンプのポンプ室に繋がる通路を持ち、通路の途中にダイアフラムポンプのポンプ室へ空気が流出するような向きに逆止弁が設置されていて、上記窪み空間は大気圧連通弁にもつながっていて、ダイアフラムポンプのポンプ室を構成するプラスチックシートの内側に変形を防止するカウンタースプリングをもつことを特徴とする請求項１記載のポンプ付き鏡。
【発明の詳細な説明】
【技術分野】
【０００１】
この発明は化粧用あるいは髭剃りなどに使用する鏡で、特にフィルム状の鏡を使用した厚さが薄く、小型タイプの鏡に関するものである。
【背景技術】
【０００２】
化粧用の小型タイプの鏡は、コンパクトの蓋の内側に装着された平面鏡や、鏡単体としてプラスチックなどのフレームが貼られたものがある。またより広く使えるように拡大鏡と平面鏡を表裏に貼ったものや、見開き部にそれぞれ貼ったものなどが知られている。
いずれの鏡の場合もガラス製が多く、使用中や携帯時に割れる危険性があり、また重さが増えるという問題点があった。
【０００３】
これを解決すべく、本発明者は特許５５００５３９号発明を取得しフィルム状の鏡を実用化した。フィルム状鏡の変形し易い性質を利用し、フィルムにかかる圧力を変化させ、一枚の鏡を平面鏡から拡大鏡に連続変化させることで、ガラスを使わずに軽量な可変倍率拡大鏡を市場に提供した。これは鏡の外周リングを回すだけで倍率が連続変化して便利なものである。
【先行技術文献】
【特許文献】
【０００４】
【特許文献１】特許５５００５３９号公報
【発明の概要】
【発明が解決しようとする課題】
【０００５】
しかしながら前記特許文献の鏡は、２枚のフィルムを使用し、その間の空間を引き伸ばしてフィルム鏡に掛かる圧力を減圧させている方式となっている。すなわち、皿状の本体からフィルム鏡が貼り付けてあるリング状のホルダー全体を．ネジで回動し突出させる構造になっているため、全体の厚みがガラス製のものよりかえって増えてしまう憾みがあった。
一方、女性が持つ機会の多い小型の鏡においては、審美感も重要な要素であるり厚みをガラス製の鏡なみに薄くして欲しいという要求が強い。
【課題を解決するための手段】
【０００６】
本発明は、かかる状況から従来のフィルム鏡の駆動方式ではなく、前述の要求に応えるポンプ付き鏡を提供しようとするものである。
すなわち本発明は、板状の鏡ベースであって、片面にフィルム鏡を装着するための面とフィルム鏡が鏡ベースに接触しないように設けられたにフィルム鏡に覆われる窪みを有し、フィルム押さえリングでフィルム鏡を固着して鏡面を形成し、反対面には、反対面を覆うプラスチックシートが接着され反対面とプラスチックシートで挟まれた空間がポンプ室となるようなダイヤフラムポンプを形成し、この反対面に一方の開口部を持つ逆止弁２個を内蔵させ、プラスチックシートへの鏡ベース側に向かう方向の外力の付加及び解放によるポンプ動作で発生した圧力でフィルム鏡を凹ませて凹面鏡にするもので、2個の逆止弁のうちの1個のもう片方の口に外気を任意に連通もしくは遮断することができる鏡ベース内に設けられた大気圧連通弁に繋がり、もう1個の逆止弁の口は直接外気に繋がっていることを特徴とするポンプ付き鏡にある。
【０００７】
また本発明は、鏡ベース表面より突出し、押す、横移動もしくは傾くあるいは回転、するの二つの自由度を得るための機構をもった指で操作するためのボタンであり、押すことで弁が開き、もう一つの自由度を使いこれを保持することのできる大気圧連通弁を備えるポンプ付き鏡を特徴とするものである。
【０００８】
さらにまた本発明は、フィルム鏡と鏡ベースに囲まれた窪み空間に、ダイアフラムポンプのポンプ室に繋がる通路を持ち、通路の途中にダイアフラムポンプのポンプ室へ空気が流出するような向きに逆止弁が設置されていて、上記窪みは大気圧にも繋がっていて、ダイアフラムポンプのポンプ室を構成するプラスチックシートの内側に変形を防止するカウンタースプリングをもつこと特徴も特徴とするものである。
【発明の効果】
【０００９】
本発明の発明は、ダイアフラムポンプで空気を加圧もしくは減圧してフィルム鏡を変形させることにより、最大変形に必要な空気量を何回かに分割出来るので一回の吐出量の小さいダイヤフラムポンプでも使用可能になり、吐出量の小さなダイヤフラムポンプは薄くできる。今までの回動による突出の場合は必要空気量分の容積は突出で創出するために厚みがでてしまうところ、本発明はダイアフラム式のポンプを鏡面と反対側に設けることで全体の厚さを薄く抑えることができるため、コンパクトなどに内蔵したときに意匠の自由度が増え、審美性を発揮させる設計が可能になる利点がある。
【図面の簡単な説明】
【００１０】
【図１】図１は、本発明の一実施例を示す断面図である。
【図２】図２は、図１に用いるリリース弁の拡大断面図で、図１の上方位置から見たときのものである。
【図３】図３は、本発明の他の実施例を示すもので、膨出したプラスチックシートをダイアフラムポンプに使用しており他の部分は、図１の実施例と同様になったものである。
【発明を実施するための形態】
【００１１】
図１は本発明の一つの実施例を示すものである。フィルム鏡１の裏側にダイアフラムポンプを設置して空気を加圧してフィルム鏡上面空間に加えることでフィルム鏡面を凹ませて任意の凹面鏡を得ようとするものであり、図は円盤状で中心部分の断面を示している。
【００１２】
ここでフィルム鏡１は、厚さ25μｍから50μｍ厚の無色・透明なポリエステルなどのプラスチックで構成され、銀もしくはアルミニウムが片面に蒸着してある。鏡ベース２はプラスチックもしくは金属製で周縁部がフィルム鏡１と接合している。その内側はフィルム鏡１にテンションを与えるための溝が全周にわたり設けられており、フィルム押さえリング３の突起３‘と嵌合し、フィルム鏡１を鏡ベース２にしっかりと固定している。
【００１３】
また鏡ベース２の中央には、上側窪み４がありフィルム鏡１が内側に凹んでも鏡ベース２に接触しないようになっている。そしてフィルム押さえリング３は鏡ベース２の外周としっかり嵌合し抜けないようになっている。
【００１４】
フィルム押さえリング３は真中が開口していてそこに窓５が接着されている。この窓５は無色透明のアクリル樹脂もしくはポリカーボネート等でできていて、フィルム鏡１との間で加圧室６を形成する。ここの圧力が大気圧により大きくなればフィルム鏡１が凹んでゆく。フィルム押さえリング３の突起３‘部分には接着剤が塗られ加圧室６の空気が漏れない気密空間になっている。
【００１５】
鏡ベース２の内部には逆止弁Ａと逆止弁Ｂとが設けられている。また下側にも下側窪み７があり、その外側がプラスチックシート８と接着されていて両者の間にポンプ室９を形成している。ポンプ動作のために指でプラスチックシート８の中央を押すとポンプ室９の空気が押し出され逆止弁Ａが開き通路Ａ‘を通して加圧室６に供給されフィルム鏡１を内側に凹ませる。
【００１６】
このとき、逆止弁Ｂは閉じている。フィルム鏡１と上側くぼみの間の上側窪み空間１０は通路Ｂ‘を通して外気と常につながっているので押しのけられた空気がフィルタ−１１を通して排出される。次に指を離すとプラスチックシート８は弾性で平面に戻り、逆止弁Ａは閉じ逆止弁Ｂが開き外気がフィルター１１、通路Ｂを通りポンプ室に導入される。フィルター１１は外気のゴミが鏡内部に入らないようにするためのものである。このときプラスチックシート補強板１２は指でプラスチックシート８を押した際にプラスチックシートの指が触れた部分だけの変形を抑え、全体が変形するようにしてポンプ室９内の空気をより多く押し出すためのものである。
このようにプラスチックシート８を指で押す毎に加圧室６に空気が供給され、フィルム鏡１の表面に均一に圧力が加わるため、きれいな球面が形成され凹面鏡として機能する。また、加圧室６の圧力を任意に抜いて平面鏡に戻す場合の外気圧の変動によって平面鏡が凹面鏡や凸面鏡に勝手に変化しないように加圧室６が外気と通じるリリース弁が設けてある。
【００１７】
図２は図１の実施例に使われるリリース弁の断面図で図１を上から見たものである。
鏡ベース２の外周側面に穿たれた角溝１３にリリースレバー１４がピン１５で留まっている。リリースレバー１４はピン１５とリリースレバー１４に開いたキー溝１６により動きが規制される。すなわち中心軸に向かう方向と円周方向の二つである。ボール弁１７がありスプリング１８でＯリング１９に押し付けられ、同時にリリースレバー１４も左方向に移動していて図２はシール状態にある。ボール弁１７の右側は通路Ａ‘につながっている。
【００１８】
このときダイヤフラムポンプが押され加圧室６がある圧力の時、指でリリースレバー１０を右方向に押すとボール弁１７が開き通路Ａ‘と外気が繋がり加圧室６の圧力を下げることになりフィルム鏡１のへこみ量が減り拡大率が下がる。このようにして任意に拡大率を調整することができる。またリリースレバー１４を右方向に押しながら上にあげるとピン１５にキー溝１６が引っかかりボール弁１７が開いたままになり、加圧室６は大気圧と同じになりフィルム鏡１は平面鏡の状態を保ち続け外気圧や温度の変化の影響を受けない。
【００１９】
以上の例ではボール弁とＯリングを使用しているが、板状の弁とＯリングの組み合わせでもよい。またこの例では何回のポンプ動作でどのくらいの拡大率を得るかは設計上の問題であるが、４から５回程度のポンプ動作で最大拡大率が得られるようにダイヤフラムポンプの容量を決める。また、ポンプの最高到達圧力も要求される最大拡大率により決まる。一方ダイヤフラムポンプにはプラスチックシート８をいくら押して減少しない空間があり、設定最高圧以上にはならない。
【００２０】
図３は膨出プラスチックシート１８をダイヤフラムポンプに使用したもので、フィルム鏡１上面を加圧するのではなく,下面を減圧することで同様に凹面を得ようとするものである。膨出プラスチックシート１８を指で雄とポンプ室９内部の空気は逆止弁Ａ、通路Ａ’フィルター１１を通って大気に放出される。指を離すとカウンタースプリング１９の力で膨出プラスチックしーと１８はもとの形に戻る。この時逆止弁Ａはとじ、逆止弁Ｂが開き減圧室６内の空気の一部がポンプ室９に入り、減圧室２０は減圧され、大気圧の気圧で、フィルム鏡１が凹み凹面鏡になる。大気圧へはフィルター１１を通してゴミを取った空気が供給される。このときの逆止弁Ｂと減圧室２０との間の通路Ｂ‘は、大気圧連通弁に繋がっている。
【００２１】
この繰り返しでフィルム鏡１の凹みを徐々に大きくして拡大率の大きな平面鏡にする。減圧室２０とポンプ室９とは、ほぼ同じ圧力なるため、大気圧に負けずに膨出プラスチックシート１８が元の形状に戻るためには、カウンタースプリング１９の助けを借りることになる。膨出プラスチックシート１８に強度があればカウンタースプリング１９を省くことができる。また前述した実施例のように下側窪みを設けて平らなプラスチックシートにすることもできる。この場合は、カウンタースプリングが有効である。またフィルム鏡１の下面減圧タイプは、窓５及び大気圧を省くこともできる。この場合は、フィルム鏡１の表面にハードコート処理をしてゴミなどにより傷がつかないようにしておくことが好まし。これ等の例で示したように、ダイアフラムポンプはフィルム鏡１上面を加圧するか、フィルム鏡１にこれらの下面を減圧するかの方法があり、どちらを選ぶかは設計上の問題である。なお図中２１は、補強板である。
【産業上の利用可能性】
【００２２】
本発明はダイアフラム式のポンプを鏡面と反対側に設けることで全体の厚さを薄く抑えることができるため、コンパクトなどに内蔵したときに意匠の自由度が増え、審美性を発揮させる設計が可能になる利点があり、従って産業上の利用可能性が大きい。
【符号の説明】
【００２３】
１      フィルム鏡
２      鏡ベース
３      フィルム押さえリング
４      上側窪み
５      窓
６      加圧室
７      下側窪み
８      プラスチックシート
Ａ      逆止弁Ａ
Ｂ      逆止弁Ｂ
Ａ‘    通路Ａ
Ｂ‘    通路Ｂ
【図１】
2017000220.tif 000003
【図２】
2017000220.tif 000004
【図３】
2017000220.tif 000005